(57)【特許請求の範囲】
【請求項１】
自分自身が設置されている部屋の様式、前記部屋のインテリアの色調、および前記部屋の明るさを示す第１の情報と、提示する所定の情報を示す第２の情報とに基づいて、前記第１の情報および前記第２の情報により特定される画像であって、提示する前記所定の情報の内容を表す画像を選択する選択手段と、
選択された前記画像の表示を制御する表示制御手段と
を備える情報処理装置。
【請求項２】
前記選択手段は、前記第１の情報および前記第２の情報により特定される画像を示す選択テーブルを用いて画像を選択する
請求項１に記載の情報処理装置。
【請求項３】
前記第１の情報および前記第２の情報により特定される画像が変更されるように、前記選択テーブルを更新する更新手段をさらに備える
請求項２に記載の情報処理装置。
【請求項４】
前記選択手段により選択された複数の画像を重畳する重畳手段をさらに備え、
前記表示制御手段は、前記重畳手段により重畳された画像の表示を制御する
請求項１に記載の情報処理装置。
【請求項５】
前記選択手段は、１つの前記第１の情報、および１つの前記第２の情報に基づいて画像を選択する場合と、それらの第１の情報および第２の情報、並びに他の第２の情報に基づいて画像を選択する場合とで、異なる画像を選択する
請求項１に記載の情報処理装置。
【請求項６】
情報処理装置が設置されている部屋の様式、前記部屋のインテリアの色調、および前記部屋の明るさを示す第１の情報と、提示する所定の情報を示す第２の情報とに基づいて、前記第１の情報および前記第２の情報により特定される画像であって、提示する前記所定の情報の内容を表す画像を選択し、
選択された前記画像の表示を制御する
ステップを含む情報処理装置の情報処理方法。
【請求項７】
情報処理装置を制御するコンピュータに、
前記情報処理装置が設置されている部屋の様式、前記部屋のインテリアの色調、および前記部屋の明るさを示す第１の情報と、提示する所定の情報を示す第２の情報とに基づいて、前記第１の情報および前記第２の情報により特定される画像であって、提示する前記所定の情報の内容を表す画像を選択する選択ステップと、
選択された前記画像の表示を制御する表示制御ステップと
を実行させるプログラム。
【発明の詳細な説明】
【技術分野】
【０００１】
本発明は情報処理装置および方法、並びにプログラムに関し、特に、より効果的に情報を提示できるようにした情報処理装置および方法、並びにプログラムに関する。
【背景技術】
【０００２】
例えば、天気予報や所定の行事の開催日などの情報を提示する情報提示装置が知られている。このような情報提示装置には、図１に示すように、ユーザに提示する情報を示す文字のテキストデータ、またはアイコンの画像データが入力されるようになされている。
【０００３】
情報提示装置１１は、テキストデータまたは画像データが入力されると、入力されたテキストデータまたは画像データに基づいて、文字またはアイコンを表示させ、ユーザに情報を提示する。例えば、ユーザの部屋に設置された情報提示装置１１に、明日の天気が晴れであることを示す文字“晴れ”を表示させるためのテキストデータが入力されると、図２に示すように、情報提示装置１１には、文字“晴れ”が表示される。
【０００４】
また、例えば、ユーザの部屋に設置された情報提示装置１１に、明日の天気が晴れであることを示すアイコンを表示させるための画像データが入力されると、図３に示すように、情報提示装置１１には、晴れの天気を想起させるアイコン（画像）が表示される。
【０００５】
ユーザは、情報提示装置１１に表示された文字またはアイコンを見ることで、視覚的に情報を得ることができるので、このような情報提示装置１１を居間などに設置すると便利である。
【０００６】
また、従来の情報提示装置には、屋外の気象状態に対して変化する画像を表示させるものもある（例えば、特許文献１参照）。この情報提示装置においては、センサ部において屋外の気象要素が検出され、その検出結果に応じて天気を表す画像が表示されるので、ユーザは、表示された画像を見ることで、視覚的に屋外の天気（気象状態）を知ることができる。
【０００７】
【特許文献１】特開２００４−１４５４１９号公報
【発明の開示】
【発明が解決しようとする課題】
【０００８】
しかしながら、上述した技術においては、ユーザに提示する情報を示す文字または画像（アイコンまたは画像）を表示させることはできるが、これらの文字または画像は、インテリアの観点からすれば、必ずしも美しいとはいえない。すなわち、部屋のインテリアの色調は、その部屋ごとによって異なるため、情報提示装置に表示される文字または画像の色調が、情報提示装置が設置された部屋のインテリアの色調に調和するとは限らず、表示される文字または画像が、その部屋の環境になじまない（溶け込まない）ことがあった。
【０００９】
したがって、情報提示装置が設置される部屋の環境によらず、その環境になじんだ文字または画像を表示させて、効果的に情報を提示することができなかった。
【００１０】
本発明は、このような状況に鑑みてなされたものであり、より効果的に情報を提示することができるようにするものである。
【課題を解決するための手段】
【００１１】
本発明の一側面の情報処理装置には、自分自身が設置されている部屋の様式、前記部屋のインテリアの色調、および前記部屋の明るさを示す第１の情報と、提示する所定の情報を示す第２の情報とに基づいて、前記第１の情報および前記第２の情報により特定される画像であって、提示する前記所定の情報の内容を表す画像を選択する選択手段と、選択された前記画像の表示を制御する表示制御手段とが設けられている。
【００１２】
前記選択手段には、前記第１の情報および前記第２の情報により特定される画像を示す選択テーブルを用いて画像を選択させるようにすることができる。
【００１３】
情報処理装置には、前記第１の情報および前記第２の情報により特定される画像が変更されるように、前記選択テーブルを更新する更新手段をさらに設けることができる。
【００１４】
情報処理装置には、前記選択手段により選択された複数の画像を重畳する重畳手段をさらに設け、前記表示制御手段には、前記重畳手段により重畳された画像の表示を制御させるようにすることができる。
【００１５】
前記選択手段には、１つの前記第１の情報、および１つの前記第２の情報に基づいて画像を選択する場合と、それらの第１の情報および第２の情報、並びに他の第２の情報に基づいて画像を選択する場合とで、異なる画像を選択させるようにすることができる。
【００１６】
本発明の一側面の情報処理方法またはプログラムは、情報処理装置が設置されている部屋の様式、前記部屋のインテリアの色調、および前記部屋の明るさを示す第１の情報と、提示する所定の情報を示す第２の情報とに基づいて、前記第１の情報および前記第２の情報により特定される画像であって、提示する前記所定の情報の内容を表す画像を選択し、選択された前記画像の表示を制御するステップを含む。
【００１７】
本発明の一側面においては、情報処理装置が設置されている部屋の様式、前記部屋のインテリアの色調、および前記部屋の明るさを示す第１の情報と、提示する所定の情報を示す第２の情報とに基づいて、前記第１の情報および前記第２の情報により特定される画像であって、提示する前記所定の情報の内容を表す画像が選択され、選択された前記画像の表示が制御される。
【発明の効果】
【００１８】
以上のように、本発明の一側面によれば、情報を提示することができる。特に、本発明の一側面によれば、より効果的に情報を提示することができる。
【発明を実施するための最良の形態】
【００１９】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２０】
本発明の一側面の情報処理装置は、自分自身が設置されている部屋の様式、前記部屋のインテリアの色調、および前記部屋の明るさを示す第１の情報と、提示する所定の情報を示す第２の情報とに基づいて、前記第１の情報および前記第２の情報により特定される画像であって、提示する前記所定の情報の内容を表す画像を選択する選択手段（例えば、図６の映像選択部５５）と、選択された前記画像の表示を制御する表示制御手段（例えば、図６の制御部５６）とを備える。
【００２１】
前記選択手段（例えば、図７のステップＳ１８の処理を行う映像選択部５５）には、前記第１の情報および前記第２の情報により特定される画像を示す選択テーブル（例えば、図１０の選択テーブル９１）を用いて画像を選択させるようにすることができる。
【００２２】
情報処理装置には、前記第１の情報および前記第２の情報により特定される画像が変更されるように、前記選択テーブル（例えば、図１０の選択テーブル９１）を更新する更新手段（例えば、図２２の更新部３２１）をさらに設けることができる。
【００２３】
情報処理装置には、前記選択手段（例えば、図１８の映像選択部５５）により選択された複数の画像を重畳する重畳手段（例えば、図１８の重畳処理部２３１）をさらに設け、前記表示制御手段（例えば、図１８の制御部５６）には、前記重畳手段により重畳された画像の表示を制御させるようにすることができる。
【００２４】
前記選択手段（例えば、図１４に示した選択テーブル１９１を用いて映像コードを選択する映像選択部５５）には、１つの前記第１の情報、および１つの前記第２の情報に基づいて画像を選択する場合と、それらの第１の情報および第２の情報、並びに他の第２の情報に基づいて画像を選択する場合とで、異なる画像を選択させるようにすることができる。
【００２５】
本発明の一側面の情報処理方法またはプログラムは、情報処理装置が設置されている部屋の様式、前記部屋のインテリアの色調、および前記部屋の明るさを示す第１の情報と、提示する所定の情報を示す第２の情報とに基づいて、前記第１の情報および前記第２の情報により特定される画像であって、提示する前記所定の情報の内容を表す画像を選択し（例えば、図７のステップＳ１８）、選択された前記画像の表示を制御する（例えば、図７のステップＳ２１）ステップを含む。
【００２６】
以下、図面を参照して本発明を適用した実施の形態について説明する。
【００２７】
図４は、本発明を適用した情報提示システムの一実施の形態の構成例を示している。この情報提示システムは、天気予報や緊急のニュース、交通情報などのユーザに提示する情報（以下、提示情報とも称する）を取得する情報処理装置３１と、提示情報の内容を表す画像を表示する表示装置３２とから構成され、情報処理装置３１および表示装置３２は、図示せぬケーブルなどにより接続されている。
【００２８】
図４では、情報処理装置３１は、部屋の中に配置された台３３の上に設置され、さらに、情報処理装置３１の上に表示装置３２が設置されている。表示装置３２は、情報処理装置３１から供給される画像データに基づいて、ユーザに提示する情報の内容を表し、かつ情報処理装置３１および表示装置３２が設置されている部屋の環境になじんだ（溶け込む）画像を表示する。
【００２９】
情報処理装置３１は、図５に示すように、ユーザに提示する情報である提示情報と、情報処理装置３１の周囲の環境を示すインテリア情報とを取得する。そして、情報処理装置３１は、取得した提示情報およびインテリア情報を基に特定される画像を選択し、その画像の画像データを表示装置３２に供給して画像を表示させる。このように、提示情報およびインテリア情報を基に特定される画像を選択することで、提示情報の内容を表し、かつ情報処理装置３１が設置されている部屋の環境になじんだ画像（画像データ）を選択して表示させることができる。
【００３０】
図６は、図４の情報処理装置３１の構成例を示すブロック図である。
【００３１】
情報処理装置３１は、提示情報取得部５１、提示情報分類部５２、インテリア情報取得部５３、インテリア分類部５４、映像選択部５５、制御部５６、記録部５７、および入力部５８を含むように構成される。
【００３２】
提示情報取得部５１は、ユーザに提示する情報である提示情報を取得し、提示情報分類部５２に供給する。提示情報取得部５１は、通信部７１、放送信号受信部７２、および監視部７３を含むように構成される。
【００３３】
提示情報取得部５１の通信部７１は、インターネットなどの通信網を介して接続されている、図示せぬサーバから提示情報を取得する。
【００３４】
提示情報取得部５１の放送信号受信部７２は、チューナ、デコーダなどから構成され、図示せぬ送信局から送信された、番組を再生するための放送信号を受信する。また、放送信号受信部７２は、受信した放送信号から提示情報を抽出することにより、提示情報を取得する。
【００３５】
提示情報取得部５１の監視部７３は、ユーザ宅の玄関や各部屋の画像を撮影して、ユーザ宅を監視するビデオカメラ、ユーザ宅に設置されているガスコンロやトイレの使用状況などを監視するためのセンサなどを含むように構成される。監視部７３は、ビデオカメラが撮影した画像から動きを検出したり、センサによりガスコンロやトイレの使用を検出したりする。提示情報取得部５１は、検出された動き、またはガスコンロやトイレの使用を示す情報を、提示情報として提示情報分類部５２に供給する。
【００３６】
提示情報分類部５２は、提示情報取得部５１から供給された提示情報を、提示情報の内容を示すカテゴリに分類して提示情報分類コードを生成する。提示情報分類コードは、提示情報が属すカテゴリを示すカテゴリコードと、その提示情報の内容を示す提示情報コードからなる。提示情報分類部５２は、生成した提示情報分類コードを映像選択部５５に供給する。
【００３７】
インテリア情報取得部５３は、情報処理装置３１の周囲の環境を示すインテリア情報を取得して、インテリア分類部５４に供給する。インテリア情報取得部５３は、設定情報保持部７４、カラーセンサ７５、照度センサ７６を含むように構成される。
【００３８】
インテリア情報取得部５３の設定情報保持部７４は、ユーザにより設定された、情報処理装置３１が設置されている部屋の環境を示す設定情報を保持する。
【００３９】
インテリア情報取得部５３のカラーセンサ７５は、情報処理装置３１が設置されている部屋（インテリア）の色を検出する。また、インテリア情報取得部５３の照度センサ７６は、情報処理装置３１が設置されている部屋の照度を測定する。
【００４０】
インテリア情報取得部５３は、設定情報保持部７４が保持している設定情報、カラーセンサ７５により検出された色を示す情報、および照度センサ７６により測定された照度の値を示す情報を、インテリア情報としてインテリア分類部５４に供給する。
【００４１】
インテリア分類部５４は、インテリア情報取得部５３から供給されたインテリア情報に基づいて、情報処理装置３１が設置されている部屋の環境を、室内の環境を示すカテゴリ（以下、インテリア分類と称する）に分類し、インテリア分類を示すインテリア分類コードを生成する。インテリア分類部５４は、生成したインテリア分類コードを映像選択部５５に供給する。
【００４２】
映像選択部５５は、提示情報分類部５２から供給された提示情報分類コード、およびインテリア分類部５４から供給されたインテリア分類コードに基づいて、情報処理装置３１が設置された部屋の環境になじむ画像（より詳細には後述する映像コード）を選択する。映像選択部５５は、選択テーブル保持部７７を含むように構成される。
【００４３】
映像選択部５５の選択テーブル保持部７７は、提示情報分類コードおよびインテリア分類コードから特定される映像コードが示されている選択テーブルを保持する。ここで、映像コードは、所定の画像を示す（画像を特定するための）情報であり、１つの映像コードにより１つの画像が特定される。映像選択部５５は、選択テーブル保持部７７が保持している選択テーブルを参照して、提示情報分類コード、およびインテリア分類コードを基に映像コードを選択し、その映像コードを制御部５６に供給する。
【００４４】
制御部５６は、情報処理装置３１全体を制御する。制御部５６は、映像選択部５５から供給された映像コードにより特定される画像の画像データを記録部５７から取得する。また、制御部５６は、記録部５７から取得した画像データに基づく画像の表示を制御する。すなわち、制御部５６は、記録部５７から取得した画像データを表示装置３２に供給して、画像を表示させる。さらに、制御部５６は、ユーザの操作に応じて入力部５８から供給される入力信号に応じた処理を行う。
【００４５】
記録部５７は、例えば、ハードディスクなどから構成され、画像データやプログラムなどの各種のデータを記録する。
【００４６】
入力部５８は、例えば、ボタン、スイッチ、リモートコマンダから送信されてくる指令を受信する受信部などから構成され、ユーザの操作に応じた入力信号を、インテリア情報取得部５３または制御部５６に供給する。
【００４７】
次に、図７のフローチャートを参照して、情報処理装置３１による情報提示の処理を説明する。この情報提示の処理は、ユーザの操作に応じて情報処理装置３１が起動すると開始される。
【００４８】
ステップＳ１１において、提示情報取得部５１の通信部７１は、通信網を介して接続されているサーバ（図示せず）から提示情報を取得する。例えば、提示情報取得部５１の通信部７１は、サーバから所定の電子メールを受信する。そして、提示情報取得部５１は、受信された電子メールから、スーパーの特売日などを示す情報を提示情報として抽出し、提示情報分類部５２に供給する。
【００４９】
ステップＳ１２において、提示情報取得部５１の監視部７３は、情報処理装置３１が設置されているユーザ宅の周囲の環境から提示情報を取得する。例えば、監視部７３は、ユーザ宅の玄関に設置されたビデオカメラが撮影した画像の画素値の差分を取ることにより動きを検出する。そして、提示情報取得部５１は、動きが検出されると、ユーザ宅に訪問者が来たことを示す情報を、提示情報として提示情報分類部５２に供給する。
【００５０】
また、例えば、監視部７３は、センサによりガスコンロの使用を検出する。提示情報取得部５１は、ガスコンロの使用が検出されると、ガスコンロが使用中であることを示す情報を、提示情報として提示情報分類部５２に供給する。
【００５１】
ステップＳ１３において、提示情報取得部５１の放送信号受信部７２は、図示せぬ送信局から送信されてきた放送信号を受信し、受信した放送信号から提示情報を取得する。例えば、放送信号受信部７２は、受信した放送信号の垂直ブランキング期間に埋め込まれている、明日の天気を示す情報を抽出する。提示情報取得部５１は、抽出された明日の天気を示す情報を提示情報として、提示情報分類部５２に供給する。
【００５２】
ステップＳ１４において、インテリア情報取得部５３は、インテリア情報を取得する。例えば、インテリア情報取得部５３のカラーセンサ７５は、情報処理装置３１が設置されている部屋（インテリア）の色を検出する。また、インテリア情報取得部５３の照度センサ７６は、情報処理装置３１が設置されている部屋の照度を測定する。そして、インテリア情報取得部５３は、設定情報保持部７４が保持している設定情報、カラーセンサ７５により検出された色を示す情報、および照度センサ７６により測定された照度の値を示す情報を、インテリア情報としてインテリア分類部５４に供給する。
【００５３】
ステップＳ１５にいて、提示情報分類部５２は、新たな提示情報が取得されたか否かを判定する。例えば、提示情報分類部５２は、提示情報取得部５１から、新たに更新された提示情報が供給された場合、新たな提示情報が取得されたと判定する。
【００５４】
ステップＳ１５において、新たな提示情報が取得されたと判定された場合、ステップＳ１６に進み、提示情報分類部５２は、新たに取得された提示情報を、提示情報の内容を示すカテゴリに分類して提示情報分類コードを生成する。提示情報分類部５２は、生成した提示情報分類コードを映像選択部５５に供給する。
【００５５】
ここで、提示情報は、例えば、図８に示すカテゴリに分類される。図８では、提示情報により示される情報の内容、および提示情報が属すカテゴリが示されている。
【００５６】
提示情報が属すカテゴリは、明日の天気に関する情報を示す“天気予報”、ユーザ宅に関する情報を示す“家庭内情報”、およびユーザ宅の周辺の地域に関する情報を示す“地域情報”に分けられている。
【００５７】
そして、カテゴリ“天気予報”には、明日の天気が晴れであることを示す提示情報“晴れ”、明日の天気が雨であることを示す提示情報“雨”、明日の天気が曇りであることを示す提示情報“曇り”、および明日の天気が雪であることを示す提示情報“雪”が属している。
【００５８】
カテゴリ“家庭内情報”には、ユーザ宅に設置されている電話機に留守番電話のメッセージが残されている（録音されている）ことを示す提示情報“留守番電話あり”、ユーザ宅に訪問者が来たことを示す提示情報“訪問者あり”が属している。また、カテゴリ“家庭内情報”には、ユーザ宅に設置されているガスコンロが使用中であることを示す提示情報“ガスコンロ使用中”、ユーザ宅のトイレが使用中であることを示す提示情報“トイレ使用中”、およびユーザ宅の窓またはドアの施錠がされていないことを示す提示情報“戸締り不完全”が属している。
【００５９】
さらに、カテゴリ“地域情報”には、所定のスーパーの特売日であることを示す提示情報“スーパー特売”、ユーザ宅の周辺の地域で火災が発生したことを示す提示情報“火災あり”、ユーザ宅の周辺の地域で盗難事故が発生したことを示す“盗難あり”、およびユーザ宅の周辺の地域の住民会議の日時を示す提示情報“住民会議”が属している。
【００６０】
提示情報分類部５２は、提示情報取得部５１から供給された提示情報を、図８に示したカテゴリのうちのいずれかのカテゴリに分類し、提示情報分類コードを生成する。ここで、提示情報分類コードは、図８に示すように、カテゴリを示すｎビット（但し、ｎは自然数）のカテゴリコード、および提示情報の内容を示すｍビット（但し、ｍは自然数）の提示情報コードからなり、カテゴリコードおよび提示情報コードが、カテゴリコードおよび提示情報コードの順番に並べられたものが提示情報分類コードとされる。
【００６１】
例えば、提示情報取得部５１から提示情報分類部５２に、明日の天気が晴れであることを示す提示情報が供給されると、提示情報分類部５２は、提示情報をカテゴリ“天気予報”に分類し、カテゴリ“天気予報”を示すカテゴリコード、および提示情報“晴れ”を示す提示情報コードが並べられた提示情報分類コードを生成する。
【００６２】
なお、提示情報分類部５２は、提示情報取得部５１から、新たな提示情報が複数供給されると、供給された提示情報の数だけ提示情報分類コードを生成する。例えば、提示情報分類部５２は、提示情報取得部５１から、新たな提示情報が２つ供給されると、供給されたそれぞれの提示情報を基に、２つの提示情報分類コードを生成する。
【００６３】
図７のフローチャートの説明に戻り、ステップＳ１６において、提示情報分類部５２が提示情報分類コードを生成し、映像選択部５５に供給すると、ステップＳ１７に進む。
【００６４】
ステップＳ１７において、インテリア分類部５４は、インテリア情報取得部５３から供給されたインテリア情報に基づいて、情報処理装置３１が設置されている部屋の環境を、インテリア分類に分類し、インテリア分類を示すインテリア分類コードを生成する。インテリア分類部５４は、生成したインテリア分類コードを映像選択部５５に供給する。
【００６５】
インテリア分類は、例えば、図９に示すように、情報処理装置３１が設置されている部屋のスタイル（様式）、部屋のインテリアの色調、および部屋の明るさによって定まる。図９では、各インテリア分類のスタイル、色調、および明るさが示されている。
【００６６】
例えば、部屋のスタイル（様式）が、現代風の内装の部屋を示す“モダン”であり、色調が“暖色系”であり、明るさが“明るい”である部屋の環境は、インテリア分類Ａに分類される。
【００６７】
また、部屋のスタイルが“モダン”であり、色調が“暖色系”であり、明るさが“暗い”である部屋の環境は、インテリア分類Ｂに分類され、部屋のスタイルが“モダン”であり、色調が“モノクロ系”であり、明るさが“明るい”である部屋の環境は、インテリア分類Ｃに分類され、部屋のスタイルが“モダン”であり、色調が“モノクロ系”であり、明るさが“暗い”である部屋の環境は、インテリア分類Ｄに分類される。
【００６８】
さらに、部屋のスタイル（様式）が、和風の内装の部屋を示す“和風”であり、明るさが“明るい”である部屋の環境は、インテリア分類Ｅに分類され、部屋のスタイルが、“和風”であり、明るさが“暗い”である部屋の環境は、インテリア分類Ｆに分類される。
【００６９】
また、インテリア分類部５４は、インテリア情報に基づいて、情報処理装置３１が設置されている部屋の環境を分類すると、図９に示すように、分類されたインテリア分類を示すｐビット（但し、ｐは自然数）のインテリア分類コードを生成し、映像選択部５５に供給する。
【００７０】
ここで、情報処理装置３１が設置されている部屋のスタイルは、ユーザが入力部５８を操作することにより予め設定することができる。例えは、ユーザは、部屋のスタイルとして、現代風の内装の部屋を示す“モダン”、または和風の内装の部屋を示す“和風”を選択して設定することができる。例えば、設定情報保持部７４は、ユーザが入力部５８を操作することにより、入力部５８から供給される入力信号を基に、情報処理装置３１が設置されている部屋のスタイルが“モダン”、または“和風”であることを示す設定情報を生成して保持する。
【００７１】
また、カラーセンサ７５によって検出された、情報処理装置３１が設置されている部屋の色が、色空間における予め定められた所定の空間に含まれている場合には、情報処理装置３１が設置されている部屋（のインテリア）の色調は“暖色系”とされ、カラーセンサ７５によって検出された色が、色空間における予め定められた所定の空間に含まれていない場合には、情報処理装置３１が設置されている部屋の色調は“モノクロ系”とされる。
【００７２】
さらに、照度センサ７６によって測定された照度の値が、予め定められた所定の値以上である場合、情報処理装置３１が設置されている部屋の明るさは“明るい”とされ、照度センサ７６によって測定された照度の値が、予め定められた所定の値より小さい場合、情報処理装置３１が設置されている部屋の明るさは“暗い”とされる。
【００７３】
したがって、例えば、インテリア情報取得部５３からインテリア分類部５４に供給された設定情報により示される部屋のスタイルが“モダン”であり、カラーセンサ７５により検出された色が、色空間における予め定められた所定の空間に含まれており、さらに、照度センサ７６により測定された照度の値が、予め定められた所定の値以上である場合、インテリア分類部５４は、インテリア情報取得部５３から供給されたインテリア情報に基づいて、情報処理装置３１が設置されている部屋の環境を、インテリア分類Ａに分類し、インテリア分類Ａを示すインテリア分類コードを生成する。
【００７４】
なお、ここでは、インテリア情報としての、部屋のスタイル、色調、明るさに基づいて、情報処理装置３１が設置された部屋の環境を分類すると説明したが、さらに、部屋の湿度や気温、部屋の広さなどをインテリア情報として取得し、それらの情報に基づいて、部屋の環境を分類するようにしてもよい。
【００７５】
図７のフローチャートの説明に戻り、ステップＳ１７において、インテリア分類部５４がインテリア分類コードを生成し、映像選択部５５に供給すると、ステップＳ１８に進む。
【００７６】
ステップＳ１８において、映像選択部５５は、選択テーブル保持部７７に保持されている選択テーブルを参照して、提示情報分類部５２から供給された提示情報分類コード、およびインテリア分類部５４から供給されたインテリア分類コードに基づいて、映像コードを選択する。映像選択部５５は、選択した映像コードを制御部５６に供給する。
【００７７】
例えば、選択テーブル保持部７７は、図１０に示す選択テーブル９１を保持している。図１０では、インテリア分類コード、提示情報分類コード、およびインテリア分類コードと提示情報分類コードとから特定される映像コードが示されている。
【００７８】
映像コードＡ−１乃至映像コードＡ−４のそれぞれは、提示情報分類コードＡと、インテリア分類コードＡ乃至インテリア分類コードＤのそれぞれとから特定される。また、映像コードＢ−１乃至映像コードＢ−４のそれぞれは、提示情報分類コードＢと、インテリア分類コードＡ乃至インテリア分類コードＤのそれぞれとから特定され、映像コードＣ−１乃至映像コードＣ−４のそれぞれは、提示情報分類コードＣと、インテリア分類コードＡ乃至インテリア分類コードＤのそれぞれとから特定され、映像コードＤ−１乃至映像コードＤ−４のそれぞれは、提示情報分類コードＤと、インテリア分類コードＡ乃至インテリア分類コードＤのそれぞれとから特定される。
【００７９】
例えば、提示情報分類部５２から映像選択部５５に提示情報分類コードＢが供給され、インテリア分類部５４から映像選択部５５にインテリア分類コードＣが供給された場合、映像選択部５５は、選択テーブル９１を参照して、提示情報分類コードＢおよびインテリア分類コードＣによって特定される映像コードＢ−３を選択する。
【００８０】
なお、映像選択部５５は、提示情報分類部５２から複数の提示情報分類コードが同時に供給された場合、供給された提示情報分類コードの数だけ映像コードを選択して制御部５６に供給する。例えば、提示情報分類部５２から映像選択部５５に、提示情報分類コードＡおよび提示情報分類コードＢが供給され、インテリア分類部５４から映像選択部５５にインテリア分類コードＣが供給された場合、映像選択部５５は、提示情報分類コードＡおよびインテリア分類コードＣによって特定される映像コードＡ−３と、提示情報分類コードＢおよびインテリア分類コードＣによって特定される映像コードＢ−３とを選択して、制御部５６に供給する。
【００８１】
また、提示情報分類コードおよびインテリア分類コードにより特定される映像コードが示す画像は、提示情報分類コードにより示される提示情報の内容を表し、かつインテリア分類コードにより示される部屋の環境になじんだ（部屋の色調に合った）画像とされる。
【００８２】
例えば、提示情報分類コードＡが、図８に示したカテゴリが“天気予報”であり、提示情報が“雨”であることを示す提示情報分類コードであり、インテリア分類コードＡ（図１０）が、図９のインテリア分類Ａを示すインテリア分類コードである場合、提示情報分類コードＡおよびインテリア分類コードＡにより特定される映像コードＡ−１により示される画像は、例えば、現代風で色調が暖色系の明るい部屋になじむ画像であり、かつ雨の天気を想起させるような、ジャングルのスコールの画像とされる。
【００８３】
図７のフローチャートの説明に戻り、ステップＳ１８において、映像選択部５５が、提示情報分類コードおよびインテリア分類コードに基づいて映像コードを選択し、制御部５６に供給すると、ステップＳ１９に進む。
【００８４】
ステップＳ１９において、制御部５６は、映像選択部５５から供給された映像コードにより特定される画像の画像データを記録部５７から取得する。
【００８５】
ステップＳ２０において、制御部５６は、表示装置３２に表示されている画像が、表示されてから予め定められた所定の期間だけ経過したか否かを判定する。例えば、制御部５６は、表示装置３２に画像が表示されていない場合、予め定められた所定の期間だけ経過したと判定する。また、例えば、予め定められた所定の期間が３分であり、現在、表示装置３２に表示されている画像が、表示されてから１０分経過している場合、制御部５６は、予め定められた所定の期間だけ経過したと判定する。
【００８６】
ステップＳ２０において、予め定められた所定の期間だけ経過していないと判定された場合、予め定められた所定の期間だけ画像を表示させるので、ステップＳ２０に戻り、判定の処理が繰り返される。
【００８７】
一方、ステップＳ２０において、予め定められた所定の期間だけ経過したと判定された場合、表示装置３２には、画像が表示されていないか、または表示装置３２に表示されている画像は、予め定められた所定の期間だけ表示されたので、ステップＳ２１に進む。
【００８８】
ステップＳ２１において、制御部５６は、記録部５７から取得した画像データを表示装置３２に供給して、表示装置３２に画像を表示させる。ユーザは、表示装置３２に表示された画像を見ることにより、画像により表される情報（提示情報）を得ることができる。
【００８９】
ステップＳ２２において、制御部５６は、記録部５７から取得した画像データに基づく画像のうち、まだ表示させていない画像があるか否かを判定する。
【００９０】
ステップＳ２２において、表示させていない画像があると判定された場合、まだ表示されていない画像を表示させるので、処理はステップＳ２０に戻る。そして、現在、表示装置３２に表示されている画像が、表示されてから予め定められた所定の期間だけ経過すると、まだ表示されていない画像が表示装置３２に表示される。
【００９１】
例えば、制御部５６が記録部５７から２つの画像データを取得して、取得した画像データに基づく画像を表示装置３２に表示させる場合、図１１に示すように、制御部５６は、画像を１枚ずつ表示させる。なお、図１１において、横軸は時間を表している。
【００９２】
例えば、制御部５６は、記録部５７から画像１２１の画像データ、および画像１２２の画像データを取得すると、まず表示装置３２に、画像１２１を表示させる。例えば、画像１２１は、晴れの天気を想起させる、よく晴れた南国のビーチの画像であり、ユーザは、画像１２１を見ることにより、明日の天気は晴れであるという情報を得る。
【００９３】
そして、画像１２１が表示されてから、予め定められた所定の時間が経過すると、制御部５６は、表示装置３２に、画像１２２を表示させる。これにより、表示装置３２に表示される画像は、画像１２１から画像１２２に切り替わる。例えば、画像１２２は、電話機の画像であり、ユーザは、画像１２２を見ることにより、ユーザ宅に設置されている電話機に、留守番電話のメッセージが録音されているという情報を得ることができる。
【００９４】
このように、制御部５６が複数の画像データを取得した場合、すなわち、情報処理装置３１が複数の提示情報を取得した場合、所定の時間間隔で提示情報の内容を表す画像が表示される。また、表示装置３２に画像が表示されている状態で、次に表示させる画像がない場合には、新たな提示情報が取得されるまで、現在表示装置３２に表示されている画像が表示され続ける。
【００９５】
図７のフローチャートの説明に戻り、ステップＳ２２において、表示させていない画像がないと判定された場合、ユーザに提示する情報の内容を表す画像を全て表示させたので、ステップＳ２３に進む。
【００９６】
また、ステップＳ１５において、新たな提示情報が取得されていないと判定された場合、新たにユーザに提示する情報はないので、ステップＳ１６の処理乃至ステップＳ２２の処理はスキップされて、ステップＳ２３に進む。
【００９７】
ステップＳ２２において、表示させていない画像がないと判定されるか、またはステップＳ１５において、新たな提示情報が取得されていないと判定されると、ステップＳ２３において、制御部５６は、終了が指示されたか否かを判定する。例えば、ユーザが入力部５８を操作して、情報処理装置３１の電源のオフを指示し、入力部５８から制御部５６に電源のオフを指示する信号が供給された場合、制御部５６は、終了が指示されたと判定する。
【００９８】
ステップＳ２３において、終了が指示されていないと判定された場合、新たに提示情報を取得してユーザに情報を提示するので、ステップＳ１１に戻り、上述した処理が繰り返される。
【００９９】
一方、ステップＳ２３において、終了が指示されたと判定された場合、処理を終了するので、制御部５６は、情報処理装置３１の電源をオフして、情報提示の処理は終了する。
【０１００】
このようにして、情報処理装置３１は、提示情報およびインテリア情報を取得し、提示情報の内容を示す提示情報分類コード、およびインテリア情報により示される部屋の環境を示すインテリア分類コードによって特定される映像コードを選択する。そして、情報処理装置３１は、選択された映像コードにより示される画像を表示装置３２に表示させる。
【０１０１】
このように、提示情報分類コードおよびインテリア分類コードによって特定される映像コードを選択し、映像コードにより示される画像を表示するようにしたので、提示情報の内容を表し、かつ情報処理装置３１が設置されている部屋の環境になじんだ（溶け込んだ）画像を表示させることができる。その結果、ユーザに違和感を感じさせることなく、より効果的に情報を提示することができる。
【０１０２】
また、情報処理装置３１においては、提示情報分類コードおよびインテリア分類コードに基づいて、表示させる画像（映像コード）が選択されるので、同じ提示情報がユーザに提示される場合でも、表示装置３２に表示される提示情報の内容を表す画像は、情報処理装置３１が設置されている部屋や、その部屋の明るさなどによって異なる。
【０１０３】
例えば、図１２に示すように、複数の情報処理装置が、それぞれ異なる部屋Ａ乃至部屋Ｃに設置されている場合、それぞれの情報処理装置が取得した提示情報が同一であっても、情報処理装置に接続されている表示装置に表示される画像は、情報処理装置が設置された部屋によって異なる。
【０１０４】
図１２では、部屋Ａに、互いに接続された情報処理装置３１および表示装置３２が設置されており、部屋Ｂには、互いに接続され、情報処理装置３１および表示装置３２と同様に構成される情報処理装置１５１−１および表示装置１５２−１が設置されている。また、部屋Ｃには、互いに接続され、情報処理装置３１および表示装置３２と同様に構成される情報処理装置１５１−２および表示装置１５２−２が設置されている。
【０１０５】
ここで、情報処理装置３１、情報処理装置１５１−１、および情報処理装置１５１−２のそれぞれが同一の提示情報を取得したとする。この場合、情報処理装置３１は、部屋Ａの環境を示すインテリア情報Ａを取得し、提示情報の内容を示す提示情報分類コード、およびインテリア情報Ａにより示される部屋Ａの環境を示すインテリア分類コードによって特定される映像コードを選択し、表示装置３２に画像Ａを表示させる。
【０１０６】
また、情報処理装置１５１−１は、部屋Ｂの環境を示すインテリア情報Ｂを取得し、提示情報の内容を示す提示情報分類コード、およびインテリア情報Ｂにより示される部屋Ｂの環境を示すインテリア分類コードによって特定される映像コードを選択し、表示装置１５２−１に画像Ｂを表示させる。さらに、情報処理装置１５１−２は、部屋Ｃの環境を示すインテリア情報Ｃを取得し、提示情報の内容を示す提示情報分類コード、およびインテリア情報Ｃにより示される部屋Ｃの環境を示すインテリア分類コードによって特定される映像コードを選択し、表示装置１５２−２に画像Ｃを表示させる。
【０１０７】
したがって、情報処理装置３１、情報処理装置１５１−１、および情報処理装置１５１−２のそれぞれが同一の提示情報を取得した場合においても、表示装置３２、表示装置１５２−１、および表示装置１５２−２のそれぞれには、異なる画像Ａ、画像Ｂ、および画像Ｃがそれぞれ表示される。画像Ａ乃至画像Ｃのそれぞれは、部屋Ａ乃至部屋Ｃのそれぞれの環境になじんだ画像（部屋Ａ乃至部屋Ｃのそれぞれの色調に合った色調の画像）であり、しかも、ユーザは、画像Ａ乃至画像Ｃのそれぞれを見て、同じ情報を得ることができる。
【０１０８】
このように、情報処理装置３１は、所定の情報を提示する場合に、提示する情報の内容を表し、かつ情報処理装置３１の周囲の環境に応じた画像を表示させることによって、ユーザにより効果的に情報を提示することができる。
【０１０９】
なお、提示情報分類コードおよびインテリア分類コードを基に、選択テーブル９１から映像コードを選択すると説明したが、提示情報分類コードおよびインテリア分類コードを基に、所定の演算を行うことによって、映像コードを生成するようにしてもよい。
【０１１０】
ところで、以上においては、１つの提示情報に対して１つの画像を表示させる場合について説明したが、複数の提示情報に対して１つの画像を表示させるようにしてもよい。この場合、例えば、図１３に示すように、複数の提示情報分類コードから、さらに１つの提示情報分類コードが生成されて、提示情報分類部５２から映像選択部５５に供給される。なお、図１３において、カテゴリは、図８における場合と同様であり、繰り返しになるのでその説明は省略する。また、各カテゴリには、そのカテゴリに属す提示情報として、図８における場合に、さらに“情報なし”が加えられており、この提示情報“情報なし”は、そのカテゴリに属す提示情報が取得されなかたことを示している。
【０１１１】
例えば、提示情報がＮ個（但し、Ｎは自然数）のカテゴリに分類されており、提示情報取得部５１から提示情報分類部５２に、提示情報が供給されると、図１３に示すように、提示情報分類部５２は、全てのカテゴリ（すなわち、Ｎ個のカテゴリ）に対して、（ｎ＋ｍ）ビット（但し、ｎおよびｍは自然数）である、提示情報分類コードを生成する。したがって、図１３の例においては、Ｎ個のカテゴリに対するＮ個の提示情報分類コードＡ−１乃至提示情報分類コードＡ−Ｎ（但し、Ｎは自然数）が生成される。
【０１１２】
ここで、所定のカテゴリに属する提示情報が供給されなかった場合には、そのカテゴリに対する提示情報分類コードの提示情報コードは、提示情報“情報なし”を示す提示情報コードとされる。
【０１１３】
そして、さらに、提示情報分類部５２は、生成したＮ個の提示情報分類コードＡ−１乃至提示情報分類コードＡ−Ｎを基に、提示情報分類コードＡ−１乃至提示情報分類コードＡ−Ｎのそれぞれが、提示情報分類コードＡ−１乃至提示情報分類コードＡ−Ｎの順番に並べられたＮ×（ｎ＋ｍ）ビットの提示情報分類コードを生成する。提示情報分類部５２は、生成したＮ×（ｎ＋ｍ）ビットの提示情報分類コードを映像選択部５５に供給する。
【０１１４】
このように、複数の提示情報に対して、１つの提示情報分類コードが生成される場合、映像選択部５５の選択テーブル保持部７７は、例えば、図１４に示す選択テーブル１９１を保持する。
【０１１５】
図１４では、インテリア分類コード、提示情報分類コード、およびインテリア分類コードと提示情報分類コードとから特定される映像コードが示されている。
【０１１６】
提示情報分類コードＰ乃至提示情報分類コードＳのそれぞれは、Ｎ個の提示情報分類コードから生成された、Ｎ（ｎ＋ｍ）ビット（但し、Ｎ、ｎ、およびｍは自然数）の提示情報分類コードである。
【０１１７】
映像コードＰ−１乃至映像コードＰ−４のそれぞれは、提示情報分類コードＰと、インテリア分類コードＡ乃至インテリア分類コードＤのそれぞれとから特定され、映像コードＱ−１乃至映像コードＱ−４のそれぞれは、提示情報分類コードＱと、インテリア分類コードＡ乃至インテリア分類コードＤのそれぞれとから特定される。また、映像コードＲ−１乃至映像コードＲ−４のそれぞれは、提示情報分類コードＲと、インテリア分類コードＡ乃至インテリア分類コードＤのそれぞれとから特定され、映像コードＳ−１乃至映像コードＳ−４のそれぞれは、提示情報分類コードＳと、インテリア分類コードＡ乃至インテリア分類コードＤのそれぞれとから特定される。
【０１１８】
例えば、提示情報取得部５１によって、明日の天気が雪であることを示す提示情報だけが取得された場合に、提示情報分類コードＰが生成され、明日は所定のスーパーの特売日であることを示す提示情報だけが取得された場合に、提示情報分類コードＱが生成され、さらに、明日の天気が雪であることを示す提示情報、および明日は所定のスーパーの特売日であることを示す提示情報の２つの提示情報だけが取得された場合に、提示情報分類コードＲが生成され、インテリア分類部５４から映像選択部５５に供給されたインテリア分類コードがインテリア分類コードＡであるとする。
【０１１９】
この場合、提示情報分類部５２から映像選択部５５に供給される提示情報分類コードが、提示情報分類コードＰであるとき、表示装置３２には、インテリア分類コードＡおよび提示情報分類コードＰによって特定される、映像コードＰ−１により示される画像が表示され、映像選択部５５に供給される提示情報分類コードが、提示情報分類コードＱであるとき、表示装置３２には、インテリア分類コードＡおよび提示情報分類コードＱによって特定される、映像コードＱ−１により示される画像が表示される。そして、映像選択部５５に供給される提示情報分類コードが、提示情報分類コードＲであるとき、表示装置３２には、インテリア分類コードＡおよび提示情報分類コードＲによって特定される、映像コードＲ−１により示される画像が表示される。
【０１２０】
映像コードＰ−１、映像コードＱ−１、および映像コードＲ−１により示される画像は、それぞれ異なる画像となるが、映像コードＲ−１により示される画像は、提示情報分類コードＰにより示される提示情報の内容、および提示情報分類コードＱにより示される提示情報の内容を表す画像となる。
【０１２１】
例えば、提示情報分類コードＰにより示される提示情報は、明日の天気が雪であることを示しているので、映像コードＰ−１により示される画像は、図１５に示す画像とされる。図１５に示す画像は、雪が積もっている冬の並木道の画像であり、ユーザに雪の天気を想起させる画像となっている。ユーザは、この図１５に示す画像を見ることにより、明日の天気は雪であるという情報を得ることができる。
【０１２２】
また、例えば、提示情報分類コードＱにより示される提示情報は、明日は所定のスーパーの特売日であることを示しているので、映像コードＱ−１により示される画像は、図１６に示す画像とされる。図１６に示す画像は、ユーザにスーパーの特売を想起させるような、浜辺で人がジャンプしている様子を表している画像となっており、ユーザは、この画像を見ることにより、明日は所定のスーパーの特売日であるという情報を得ることができる。
【０１２３】
さらに、提示情報分類コードＲにより示される提示情報は、明日の天気は雪であり、かつ明日は所定のスーパーの特売日であることを示しているので、映像コードＲ−１により示される画像は、例えば、図１７に示す画像とされる。図１７に示す画像は、スキーヤーがジャンプしている様子を表している画像であり、ユーザに雪の天気、およびスーパーの特売を想起させる画像となっている。ユーザは、この画像を見ることにより、明日の天気は雪であり、また明日は所定のスーパーの特売日でもあるという情報を得ることができる。すなわち、ユーザは、１つの画像を見るだけで複数の情報を同時に得ることができる。
【０１２４】
以上のように、複数の提示情報分類コードを基に、１つの提示情報分類コードを生成することによって、複数の提示情報に対して、複数の提示情報の内容を表す１つの画像を表示させることができる。これにより、情報処理装置３１は、ユーザに対してより効果的に情報を提示することができる。
【０１２５】
また、複数の提示情報を同時に取得した場合、提示情報の内容を表す画像を１枚ずつ表示させずに、提示情報の内容を表す複数の画像を重畳して表示させるようにしてもよい。この場合、情報処理装置は、例えば、図１８に示すように構成される。
【０１２６】
図１８に示す情報処理装置２２１は、提示情報取得部５１、提示情報分類部５２、インテリア情報取得部５３、インテリア分類部５４、映像選択部５５、制御部５６、記録部５７、および入力部５８を含むように構成される。
【０１２７】
図１８に示す情報処理装置２２１を構成する提示情報取得部５１、提示情報分類部５２、インテリア情報取得部５３、インテリア分類部５４、映像選択部５５、記録部５７、および入力部５８のそれぞれは、図６における提示情報取得部５１、提示情報分類部５２、インテリア情報取得部５３、インテリア分類部５４、映像選択部５５、記録部５７、および入力部５８のそれぞれと同様であるため同一の符号を付してあり、その説明は省略する。
【０１２８】
図１８に示す情報処理装置２２１の制御部５６には、図６の制御部５６に新たに重畳処理部２３１が設けられている。制御部５６の重畳処理部２３１は、制御部５６が記録部５７から取得した複数の画像データを基に、複数の画像を重畳させて表示させるための画像データを生成する。
【０１２９】
次に、図１９のフローチャートを参照して、図１８の情報処理装置２２１による情報提示の処理を説明する。なお、ステップＳ４１の処理乃至ステップＳ５０の処理のそれぞれは、図７におけるステップＳ１１の処理乃至ステップＳ２０の処理のそれぞれと同様であるので、その説明は省略する。
【０１３０】
制御部５６が画像データを取得し、表示装置３２に画像が表示されてから、予め定められた所定の期間だけ経過すると、ステップＳ５１において、制御部５６の重畳処理部２３１は、制御部５６が取得した画像データに対して重畳処理を行う。例えば、制御部５６が２つの画像データを取得した場合、制御部５６の重畳処理部２３１は、それぞれの画像データに基づく２つの画像を重畳させて表示させるための画像データを生成する。
【０１３１】
ステップＳ５２において、制御部５６は、重畳処理部２３１が生成した、複数の画像を重畳させて表示させるための画像データを表示装置３２に供給して、表示装置３２に画像を表示させる。
【０１３２】
これにより、表示装置３２には、例えば、図２０に示す画像が表示される。
【０１３３】
図２０では、晴れの天気を想起させる、よく晴れた南国のビーチの画像２６１に、留守番電話のメッセージを想起させる、電話機の画像２６２が重畳されて表示されている。ユーザは、画像２６１を見ることで、明日の天気は晴れでるという情報を得ることができ、また、画像２６２を見ることで、ユーザ宅に設置されている電話機に留守番電話のメッセージが録音されているという情報を得ることができる。
【０１３４】
なお、映像選択部５５から制御部５６に１つの映像コードが供給され、制御部５６が１つの画像データを取得した場合には、重畳処理部２３１による重畳処理は行われずに、制御部５６が取得した画像データがそのまま表示装置３２に供給される。
【０１３５】
図１９のフローチャートの説明に戻り、ステップＳ５３において、制御部５６は、終了が指示されたか否かを判定する。ステップＳ５３において、終了が指示されていないと判定された場合、新たに提示情報を取得してユーザに情報を提示するので、ステップＳ４１に戻り、上述した処理が繰り返される。
【０１３６】
一方、ステップＳ５３において、終了が指示されたと判定された場合、処理を終了するので、制御部５６は、情報処理装置２２１の電源をオフして、情報提示の処理は終了する。
【０１３７】
このようにして、情報処理装置２２１は、複数の提示情報を同時に取得した場合、取得した提示情報の内容を表す画像を重畳させて表示装置３２に表示させる。
【０１３８】
このように、複数の画像を重畳させて表示させることで、ユーザに対してより効果的に情報を提示することができる。これにより、ユーザは、重畳されて表示された画像を見ることで複数の情報を同時に得ることができる。
【０１３９】
また、複数の提示情報を同時に取得した場合、取得した提示情報の内容を表す画像を重畳させて表示させると説明したが、新たに提示情報を取得すると、取得した提示情報の内容を表す画像を、現在表示されている画像に重畳させて表示させ、さらに、表示されてから所定の期間が経過した画像については、その画像が表示されなくなるようにしてもよい。
【０１４０】
さらに、複数の画像を重畳させて表示させる場合、図２１に示すように、図６の情報処理装置３１と同様に構成される情報処理装置２８１−１乃至情報処理装置２８１−Ｎ（但し、Ｎは自然数）を、重畳処理を行う映像重畳装置２８２に接続するようにしてもよい。
【０１４１】
例えば、情報処理装置２８１−１乃至情報処理装置２８１−Ｎのそれぞれが、同じ部屋に設置されている場合には、情報処理装置２８１−１乃至情報処理装置２８１−Ｎのそれぞれは、同一のインテリア情報を取得する。また、情報処理装置２８１−１乃至情報処理装置２８１−Ｎのそれぞれが、異なる提示情報Ｋ−１乃至提示情報Ｋ−Ｎ（但し、Ｎは自然数）を取得したとする。すると、情報処理装置２８１−１乃至情報処理装置２８１−Ｎのそれぞれは、インテリア情報と、提示情報Ｋ−１乃至提示情報Ｋ−Ｎのそれぞれとから特定される画像データのそれぞれを取得して、映像重畳装置２８２に供給する。
【０１４２】
映像重畳装置２８２は、情報処理装置２８１−１乃至情報処理装置２８１−Ｎのそれぞれから供給された画像データを基に、供給された画像データに基づく画像のそれぞれを重畳して表示させるための画像データを生成する。映像重畳装置２８２は、生成した画像データを表示装置３２に供給し、複数の画像を重畳させて表示させる。
【０１４３】
ところで、図６の情報処理装置３１は、提示情報の内容を表し、情報処理装置３１が設置された部屋の環境になじむ画像を表示装置３２に表示させる。ユーザは、表示装置３２に表示された画像を見て、その画像から提示された情報を認識することで情報を得るので、情報処理装置３１は、ユーザが画像により表される情報（提示情報）を確実に認識（理解）できるように、提示情報の内容を認識し易い画像を表示させる必要がある。
【０１４４】
しかしながら、提示情報の内容を認識し易い画像を表示させると、その画像を見ることによって誰もが容易に情報を得ることができるため、ユーザが他人に知られたくない情報（例えば、ユーザのプライベートな情報）が提示される場合には、ユーザ以外の人も、表示装置３２に表示された画像からその情報を得てしまうことになる。
【０１４５】
そのため、ユーザが他人に知られたくない情報が提示される場合には、その情報の内容を表す画像は、ユーザだけが情報の内容を認識できるような画像であることが望ましい。そこで、ユーザが、提示情報分類コードおよびインテリア分類コードにより特定される映像コードを変更できるようにすることで、ユーザが他人に知られたくない情報の内容を表す画像を、ユーザだけが情報の内容を認識できるような画像とすることができる。
【０１４６】
このような場合、情報処理装置は、例えば、図２２に示すように構成される。
【０１４７】
図２２に示す情報処理装置３１１は、提示情報取得部５１、提示情報分類部５２、インテリア情報取得部５３、インテリア分類部５４、映像選択部５５、制御部５６、記録部５７、入力部５８、および更新部３２１を含むように構成される。
【０１４８】
情報処理装置３１１を構成する提示情報取得部５１、提示情報分類部５２、インテリア情報取得部５３、インテリア分類部５４、映像選択部５５、制御部５６、記録部５７、および入力部５８のそれぞれは、図６における提示情報取得部５１、提示情報分類部５２、インテリア情報取得部５３、インテリア分類部５４、映像選択部５５、制御部５６、記録部５７、および入力部５８のそれぞれと同様であるため同一の符号を付してあり、その説明は省略する。
【０１４９】
図２２に示す情報処理装置３１１には、図６の情報処理装置３１に新たに更新部３２１が設けられた構成とされている。更新部３２１は、入力部５８から供給される入力信号に基づいて、ユーザの認証を行い、映像選択部５５の選択テーブル保持部７７が保持している選択テーブル９１を更新する。
【０１５０】
次に、図２３のフローチャートを参照して、情報処理装置３１１による更新処理について説明する。この更新処理は、ユーザが入力部５８を操作して、選択テーブル９１の更新を指示すると開始される。
【０１５１】
ユーザが入力部５８を操作して、選択テーブル９１の更新を指示すると、ステップＳ８１において、情報処理装置３１１は、ユーザの認証を行う。例えば、選択テーブル９１の更新が指示されると、制御部５６は、入力部５８からの入力信号に応じて、ユーザ名およびパスワードを入力するときに表示される認証画面の画像データを、記録部５７から取得する。そして、制御部５６は、取得した画像データを表示装置３２に供給して、認証画面を表示させる。
【０１５２】
ユーザは、表示装置３２に認証画面が表示されると、入力部５８を操作して、ユーザ名およびパスワードを入力する。すると、入力部５８から更新部３２１には、入力されたユーザ名およびパスワードを示す信号が供給されるので、更新部３２１は、ユーザ名およびパスワードを示す信号に基づいて、ユーザが正規のユーザであるか否かの認証を行う。
【０１５３】
ステップＳ８２において、更新部３２１は、ユーザ名およびパスワードを入力したユーザが、正規のユーザであるか否かを判定する。ステップＳ８２において、正規のユーザであると判定された場合、更新部３２１は、制御部５６に提示情報分類コード、およびインテリア分類コードにより特定される画像を変更するための選択画面の表示を指示し、ステップＳ８３に進む。
【０１５４】
ステップＳ８３において、制御部５６は、記録部５７から選択画面を表示させるための画像データを取得して表示装置３２に供給し、選択画面を表示させる。これにより、表示装置３２には、例えば、図２４に示す選択画面３５１が表示される。
【０１５５】
選択画面３５１には、提示情報が属すカテゴリおよび提示情報の内容を選択するためのコンボボックス３６１が表示されており、コンボボックス３６１には、提示情報が属すカテゴリおよび提示情報の内容を示す文字“天気予報 晴れ”が表示されている。ユーザが、入力部５８を操作することにより、コンボボックス３６１を操作すると、コンボボックス３６１には、図８に示した提示情報が属すカテゴリおよび提示情報の内容の一覧が表示される。ユーザは、さらに入力部５８を操作することにより、表示された一覧から、変更させるカテゴリおよび提示情報の内容を選択することができる。
【０１５６】
また、選択画面３５１には、情報処理装置３１１が設置されている部屋のスタイルを選択するためのコンボボックス３６２が表示されており、コンボボックス３６２には、部屋のスタイルを示す文字“和風”が表示されている。ユーザが、入力部５８を操作することにより、コンボボックス３６２を操作すると、コンボボックス３６２には、図９に示した部屋のスタイルの一覧が表示される。ユーザは、さらに入力部５８を操作することにより、表示された一覧から、変更させる部屋のスタイルを選択することができる。
【０１５７】
また、選択画面３５１には、映像コードにより特定される画像の候補である画像３６３−１乃至画像３６３−１０が表示されている。以下、画像３６３−１乃至画像３６３−１０を個々に区別する必要のない場合、単に画像３６３と称する。さらに、選択画面３５１には、画像３６３を選択するためのカーソル３６４が表示されており、ユーザは、入力部５８を操作してカーソル３６４を移動させ、所望の画像３６３を選択することができる。
【０１５８】
選択画面３５１の図中、右下には、ボタン３６５が表示されており、ボタン３６５には、文字“ＯＫ”が表示されている。ユーザは、入力部５８を操作して、ボタン３６５を選択すると、コンボボックス３６１において選択されたカテゴリおよび提示情報の内容を示す提示情報分類コードと、部屋のスタイルが、コンボボックス３６２において選択されたスタイルであるインテリア分類を示すインテリア分類コードとから特定される映像コードを、カーソル３６４により選択されている画像の映像コードに変更させることができる。
【０１５９】
図２４においては、コンボボックス３６１において、カテゴリおよび提示情報の内容として“天気予報 晴れ”が選択されており、コンボボックス３６２において、部屋のスタイル“和風”が選択されている。例えば、図９では、部屋のスタイルが“和風”であるインテリア分類は、インテリア分類Ｅおよびインテリア分類Ｆであるので、図２４に示す状態でボタン３６５が選択されると、カテゴリおよび提示情報の内容“天気予報 晴れ”を示す提示情報分類コードと、インテリア分類Ｅまたはインテリア分類Ｆを示すインテリア分類コードとから特定される映像コードは、画像３６３−８を示す映像コードに変更される。
【０１６０】
さらに、また、選択画面３５１には、ボタン３６６が表示されており、ボタン３６６には文字“キャンセル”が表示されている。ユーザが入力部５８を操作して、ボタン３６６を選択すると、提示情報分類コード、およびインテリア分類コードにより特定される画像（映像コード）を変更する処理は中止され、選択画面３５１は閉じられる。
【０１６１】
図２３のフローチャートの説明に戻り、ステップＳ８３において、選択画面３５１が表示され、選択画面３５１上のボタン３６５が選択されると、入力部５８から更新部３２１には、ユーザにより指示された変更の内容を示す信号が供給される。
【０１６２】
ステップＳ８４において、更新部３２１は、入力部５８から供給された変更の内容を示す信号に基づいて、映像選択部５５の選択テーブル保持部７７が保持している選択テーブル９１を更新して、更新処理は終了する。例えば、更新部３２１は、図２４のコンボボックス３６１において選択されたカテゴリおよび提示情報の内容を示す提示情報分類コードと、コンボボックス３６２において選択されたスタイルであるインテリア分類を示すインテリア分類コードとから特定される映像コードが、カーソル３６４により選択された画像３６３の映像コードとなるように、選択テーブル９１を更新する。なお、図２４の選択画面３５１上において、ボタン３６６が選択された場合には、選択テーブル９１は更新されずに更新処理は終了する。
【０１６３】
また、ステップＳ８２において、正規のユーザでないと判定された場合、選択テーブル９１の更新を指示したユーザは、正規のユーザではないので、ステップＳ８３の処理およびステップＳ８４の処理はスキップされて、更新処理は終了する。
【０１６４】
このようにして、情報処理装置３１１は、提示情報分類コードおよびインテリア分類コードにより特定される映像コードが変更されるように選択テーブル９１を更新する。
【０１６５】
このように、映像コードが変更されるように選択テーブル９１を更新することによって、情報処理装置３１１は、ユーザが他人に知られたくない情報の内容を表す画像を、その情報をユーザだけが認識できるような画像とすることができる。また、ユーザが他人に知られたくない情報に限らず、所定の情報の内容を表す画像を、ユーザの好みの画像に変更することによって、利便性を向上させることもできる。
【０１６６】
以上のように、本発明によれば、提示情報、および情報処理装置が設置された部屋の環境を示すインテリア情報を取得し、取得した提示情報およびインテリア情報に基づいて、提示する情報の内容を表し、かつ情報処理装置の周囲の環境に応じた画像を表示させるようにしたので、ユーザに対してより効果的に情報を提示することができる。
【０１６７】
また、以上においては、情報処理装置３１が室内に設置される例について説明したが、屋外に設置された場合においても、室内に設置された場合と同様に、情報処理装置３１は、情報処理装置３１が設置された周囲の環境を示すインテリア情報を取得して、提示する情報の内容を表し、かつ情報処理装置３１の周囲の環境に応じた画像を表示させることも勿論可能である。さらに、情報処理装置３１を、住宅などの室内や屋外の他、車の車内に設置するようにしてもよい。
【０１６８】
さらに、また、ユーザが、入力部５８（図６）を操作して、子供の誕生日や所定の行事の日程などを入力すると、情報処理装置３１が、入力された情報を提示情報として記憶するようにしてもよい。この場合、提示情報取得部５１（図６）は、記憶している情報を提示情報として、所定のタイミングで取得し、提示情報分類部５２に供給する。
【０１６９】
図２５は、上述した一連の処理をプログラムにより実行するパーソナルコンピュータの構成の例を示すブロック図である。パーソナルコンピュータ３８１のCPU（Central Processing Unit）３９１は、ROM（Read Only Memory）３９２、または記録部３９８に記録されているプログラムに従って各種の処理を実行する。RAM（Random Access Memory）３９３には、CPU３９１が実行するプログラムやデータなどが適宜記憶される。これらのCPU３９１、ROM３９２、およびRAM３９３は、バス３９４により相互に接続されている。
【０１７０】
CPU３９１にはまた、バス３９４を介して入出力インターフェース３９５が接続されている。入出力インターフェース３９５には、キーボード、マウス、マイクロホンなどよりなる入力部３９６、ディスプレイ、スピーカなどよりなる出力部３９７が接続されている。CPU３９１は、入力部３９６から入力される指令に対応して各種の処理を実行する。そして、CPU３９１は、処理の結果を出力部３９７に出力する。
【０１７１】
入出力インターフェース３９５に接続されている記録部３９８は、例えばハードディスクからなり、CPU３９１が実行するプログラムや各種のデータを記録する。通信部３９９は、インターネットやローカルエリアネットワークなどのネットワークを介して外部の装置と通信する。
【０１７２】
また、通信部３９９を介してプログラムを取得し、記録部３９８に記録してもよい。
【０１７３】
入出力インターフェース３９５に接続されているドライブ４００は、磁気ディスク、光ディスク、光磁気ディスク、或いは半導体メモリなどのリムーバブルメディア４２１が装着されたとき、それらを駆動し、そこに記録されているプログラムやデータなどを取得する。取得されたプログラムやデータは、必要に応じて記録部３９８に転送され、記録される。
【０１７４】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１７５】
コンピュータにインストールされ、コンピュータによって実行可能な状態とされるプログラムを格納するプログラム記録媒体は、図２５に示すように、磁気ディスク（フレキシブルディスクを含む）、光ディスク（CD-ROM(Compact Disc-Read Only Memory),DVD(Digital Versatile Disc)を含む）、光磁気ディスクを含む）、もしくは半導体メモリなどよりなるパッケージメディアであるリムーバブルメディア４２１、または、プログラムが一時的もしくは永続的に格納されるROM３９２や、記録部３９８を構成するハードディスクなどにより構成される。プログラム記録媒体へのプログラムの格納は、必要に応じてルータ、モデムなどのインターフェースである通信部３９９を介して、ローカルエリアネットワーク、インターネット、デジタル衛星放送といった、有線または無線の通信媒体を利用して行われる。
【０１７６】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１７７】
また、本明細書において、システムとは、複数の装置により構成される装置全体を表すものである。
【０１７８】
なお、本発明の実施の形態は、上述した実施の形態に限定されるものではなく、本発明の要旨を逸脱しない範囲において種々の変更が可能である。
【図面の簡単な説明】
【０１７９】
【図１】従来の情報提示装置を説明するための図である。
【図２】従来の情報提示装置に表示される文字の例を示す図である。
【図３】従来の情報提示装置に表示されるアイコンの例を示す図である。
【図４】本発明を適用した情報提示システムの一実施の形態の構成例を示す図である。
【図５】情報処理装置が取得する提示情報およびインテリア情報を説明する図である。
【図６】情報処理装置の構成例を示すブロック図である。
【図７】情報提示の処理を説明するフローチャートである。
【図８】提示情報が分類されるカテゴリを説明するための図である。
【図９】インテリア情報が分類されるインテリア分類を説明するための図である。
【図１０】選択テーブルの一例を示す図である。
【図１１】表示装置に表示される画像を説明するための図である。
【図１２】異なる部屋に設置された情報処理装置が表示させる画像を説明するための図である。
【図１３】複数の提示情報に対して１つの提示情報分類コードが生成される例を説明するための図である。
【図１４】選択テーブルの一例を示す図である。
【図１５】表示装置に表示される画像の一例を示す図である。
【図１６】表示装置に表示される画像の一例を示す図である。
【図１７】表示装置に表示される画像の一例を示す図である。
【図１８】情報処理装置の他の構成例を示すブロック図である。
【図１９】情報提示の処理を説明するフローチャートである。
【図２０】表示装置に表示される画像の一例を示す図である。
【図２１】本発明を適用した情報提示システムの他の構成例を示す図である。
【図２２】情報処理装置の他の構成例を示すブロック図である。
【図２３】更新処理を説明するフローチャートである。
【図２４】選択画面の一例を示す図である。
【図２５】パーソナルコンピュータの構成例を示すブロック図である。
【符号の説明】
【０１８０】
３１  情報処理装置，  ３２  表示装置，  ５１  提示情報取得部，  ５２  提示情報分類部，  ５３  インテリア情報取得部，  ５４  インテリア分類部，  ５５  映像選択部，  ５６  制御部，  ５７  記録部，  ７７  選択テーブル保持部，  １９１  選択テーブル，  ２２１  情報処理装置，  ２３１  重畳処理部，  ３１１  情報処理装置，  ３２１  更新部，  ３９１  CPU，  ３９２  ROM，  ３９３  RAM，  ３９８  記録部，  ４２１  リムーバブルメディア
【図１】
0004710497.tif 000002
【図２】
0004710497.tif 000003
【図３】
0004710497.tif 000004
【図４】
0004710497.tif 000005
【図５】
0004710497.tif 000006
【図６】
0004710497.tif 000007
【図７】
0004710497.tif 000008
【図８】
0004710497.tif 000009
【図９】
0004710497.tif 000010
【図１０】
0004710497.tif 000011
【図１１】
0004710497.tif 000012
【図１２】
0004710497.tif 000013
【図１３】
0004710497.tif 000014
【図１４】
0004710497.tif 000015
【図１５】
0004710497.tif 000016
【図１６】
0004710497.tif 000017
【図１７】
0004710497.tif 000018
【図１８】
0004710497.tif 000019
【図１９】
0004710497.tif 000020
【図２０】
0004710497.tif 000021
【図２１】
0004710497.tif 000022
【図２２】
0004710497.tif 000023
【図２３】
0004710497.tif 000024
【図２４】
0004710497.tif 000025
【図２５】
0004710497.tif 000026